(57)【要約】【課題】  橋梁の下側面に付着した汚れを、効率よく低コストで洗い落とすことが出来る洗浄装置の提供。【解決手段】  車両１から支持アーム２を水平に延ばし、該支持アーム２の先端には縦支柱８と水平アーム９からなるＬ形アーム３を取付け、上記支持アーム２は伸縮可能とし、Ｌ形アーム３は昇降動すると共に縦支柱８を中心として旋回することが出来る構造とし、そして上記水平アーム９には洗浄液を噴射する噴射ノズル１０，１０・・を取付けている。【選択図】    図１
2010090609.tif 000002
【特許請求の範囲】
【請求項１】
橋梁の下側面に付着した汚れを洗い落とす洗浄装置において、車両から支持アームを水平に延ばし、該支持アームの先端には縦支柱と水平アームからなるＬ形アームを取付け、上記支持アームは伸縮可能とし、Ｌ形アームは昇降動すると共に縦支柱を中心として旋回することが出来る構造とし、そして上記水平アームには洗浄液を噴射する噴射ノズルを取付けたことを特徴とする橋梁の洗浄装置。
【請求項２】
車両の荷台には回転ドラムを取付け、該回転ドラムには消雪用配管の取出し口に接続することが出来るホースを巻き付けた請求項１記載の橋梁の洗浄装置。
【請求項３】
車両と縦支柱との間に補助支えを設けて支持アームを支える構造とした請求項１、又は請求項２記載の橋梁の洗浄装置。
【発明の詳細な説明】
【技術分野】
【０００１】
本発明は橋梁、特に橋梁の下側面に付着する汚れを除去する為の洗浄装置に関するものである。
【背景技術】
【０００２】
橋梁にも色々な構造・形態があるが、如何なる橋梁であっても、時の経過と共に表面には汚れが付着する。しかし、単なる大気中のホコリやゴミ等が付着した汚れであれば、その表面がくすんだり、汚くなるだけである。しかし、近年では酸性雨の影響で付着した汚れが酸性化し、この状態を長年放置すれば橋梁の表面にサビが発生して橋梁の寿命を短くするといった大きな問題が発生する。
【０００３】
近年架設されている多くの橋梁は、鋼製の橋桁を使用して作られていて、それらの橋梁を長期間に亘って使用していくためには、橋梁の橋桁に発生するサビを防止することが非常に重要となっている。特に、海に近い場所に掛けられている橋梁は、毎日潮風に曝される為にサビが発生し易く、その寿命は一般に短くなる。勿論、橋梁の表面は丈夫な塗装が施されていて、簡単に剥がれてサビが入ることはないが、長期間にわたって風雨に曝されるならば、塩分を含んだ汚れや酸性化した汚れによって局部的に剥がれ落ちた塗装の隙間からサビが侵入する虞がある。
【０００４】
そこで、該橋梁の表面に付着した汚れを除去する為に、定期的に汚れを洗い落とす為に洗浄しなくてはならない。しかし、大きな橋梁の下側面を洗浄することは容易でなく、従来では作業者が載って作業する為に足場を組んで行っているが、この足場を組付ける作業は実際の洗浄作業よりも大変な仕事で手間がかかる。従って、１回の洗浄作業に足場の組付け作業を含めると膨大が費用を必要とする。
【０００５】
ところで、従来にも橋梁の洗浄装置に関する技術は色々知られている。例えば、特開平１１−１０７２１５号に係る「洗浄機構付き橋梁」は、鋼製橋梁の錆の発生の防止または耐候性鋼材にあっては、安定錆の促進を図っている。そこで、該橋梁は貯水タンクを有し、該貯水タンクと接続されて貯水タンク内の洗浄水を供給するために橋梁構成部材の内外面に布設された配管を有し、該配管には噴射ノズルを取付けている。
【０００６】
上記「洗浄機構付き橋梁」は、噴射ノズルから噴射する洗浄水にて汚れを落とすことは出来るが、噴射ノズルが固定式となっている為に洗浄ムラが発生する。すなわち、洗浄水が常に強くあたる部分と、強くあたらない部分ができる、又、噴射ノズルの目詰まり等により、噴射ノズルが正常に作動しないといった不具合も発生する。
【０００７】
特開平１１−１００８１４号に係る「橋梁の洗浄装置」は、橋梁桁下方の径間方向に張設した可撓性の軌条体と、該可撓性の軌条体に沿って走行する台車と、該台車に設けられた洗浄ノズルとから成る橋梁の洗浄装置であり、台車が走行しながら洗浄ノズルからの洗浄水を噴射することにより、橋梁の桁等に付着した塩分または塵埃を除去し、橋梁の耐用年数を向上させる。
【０００８】
上記「橋梁の洗浄装置」は、台車の走行と共に洗浄ノズルから洗浄水が噴射する為に、ムラなく洗浄することは出来るが、所定の橋梁下側に軌条体を取付け、該軌条体に載って走行する台車が必要となる。従って、該洗浄装置は橋梁固有の洗浄装置として備えなくてはならず、洗浄装置の取付けコストが膨らむことに成る。
【特許文献１】特開平１１−１０７２１５号に係る「洗浄機構付き橋梁」
【特許文献２】特開平１１−１００８１４号に係る「橋梁の洗浄装置」
【発明の開示】
【発明が解決しようとする課題】
【０００９】
このように、従来の橋梁洗浄装置には上記のごとき問題がある。本発明が解決しようとする課題はこの問題点であり、橋梁には固有の洗浄装置を取付けることなく、車両に装着して該車両の移動と共に下側面の洗浄を行うことが出来ように、しかも、あらゆる橋梁を対象として付着した汚れを洗い落とすことが出来る橋梁の洗浄装置を提供する。
【課題を解決するための手段】
【００１０】
本発明に係る橋梁の洗浄装置は、橋梁自体に装着して特定の橋梁のみを対象に洗浄する装置ではなく、あらゆる橋梁に付着した汚れを洗い落とすことが出来るように、車両に装着している。従って、車両が橋に載って走行・移動することで、橋梁下側面を短時間で手軽に洗浄できる構造としている。
【００１１】
ところで、洗浄装置は縦支柱と水平アームから成るＬ形アームを有し、該Ｌ形アームは車両に取着されている支持アームの先端に取付けられている。そして、支持アームは伸縮可能と成っていて、その為に先端に取付けられているＬ形アームは移動できる。洗浄する際には縦支柱は橋梁の外側に配置されて下方へ延び、縦支柱の下端から水平に延びる水平アームは橋梁の下側に配置される。
【００１２】
そこで、車両が移動するならば、水平アームは橋梁の下側面に沿って移動し、水平アームに取付けられている噴射ノズルから洗浄液が噴射して下側面に当り、付着している汚れが洗い落とされる。該洗浄装置は色々な橋梁に対応出来るように、水平アームを昇降動することが出来、又、水平アームを橋梁下側に配置したり、橋梁の上に持ち上げたりする為に、Ｌ形アームは旋回することが出来るように構成している。すなわち、水平アームは橋梁下側から離れるように旋回する。
【００１３】
ここで、水平アームに取付ける噴射ノズルの具体的な形態や噴射ノズルの個数、車両から伸びる支持アームの具体的な伸縮機構、又、Ｌ形アームの具体的な旋回機構は限定しないことにする。そして、Ｌ形アームは車両から水平に延びる支持アーム先端に取付けられて該車両には大きなモーメントが発生するが、例えば、アルミなどの材質を使用することで、Ｌ形アームの重量を出来る限り軽くしている。
【発明の効果】
【００１４】
本発明に係る橋梁の洗浄装置は、車両に装着されている為に、車両が橋を移動しながら橋梁の下側面に付着した汚れを洗い落とすことが出来る。すなわち、Ｌ形アームの水平アームは、車両に取付けられて伸縮する支持アームに支えられることで橋梁の下側に配置され、水平アームに取付けられている複数の噴射ノズルから洗浄液を噴射して橋梁の下側面を洗浄することが出来る。
【００１５】
噴射される洗浄液は、車両が移動することで橋梁下側面に均等に当り、付着している汚れを残すことなく洗い落とすことが出来る。そして、Ｌ形アームは旋回可能としていることで、橋梁を支えている橋台の位置に達した場合には、Ｌ形アームは旋回して通過出来る。又、支持アームは伸縮し、Ｌ形アームは昇降動可能である為に、水平アームの水平位置及び高さを調整して噴射ノズルから噴射する洗浄液を全て橋梁下側面に適当な水圧で当てることが出来る。
【００１６】
本発明の洗浄装置は車両に装着されていることで、移動してあらゆる橋梁の洗浄を可能とする。すなわち、所定の橋梁に取付けられた固有のものではなく、汎用性のある洗浄装置であり、橋梁の洗浄に要する費用は設備面は勿論のこと、洗浄作業に要する時間も短縮されて安くなる。
【実施例】
【００１７】
図１は本発明に係る橋梁の洗浄装置の外観を示す概略図である。同図の１は車両、２は支持アーム、３はＬ形アーム、４は橋梁を夫々表している。同図に示す橋梁４は２本の橋桁５，５を有し、これら橋桁５，５は所々に設置されている橋台に載って支持されている。そして、橋桁５，５の上には所定幅の橋版が形成され、橋版の上は車道や歩道と成っている。
【００１８】
同図は車両１に装着した洗浄装置にて橋梁４の下側面、すなわち、橋桁５，５及び橋版６の下面を洗浄している状態を表している。本発明の洗浄装置は車両１に装着されていて、該車両１が橋版６を移動しながら橋梁４の下側面を洗浄することが出来る。車両１に取付けられた支持アーム２は水平に延び、橋版６の側端に沿って起立しているフェンス７の上を越えている。
【００１９】
そして、支持アーム２の先端に上記Ｌ形アーム３が取着されている。Ｌ形アーム３は縦支柱８と水平アーム９から成り、該縦支柱８が支持アーム２に取着され、水平アーム９には複数の噴射ノズル１０，１０・・が取付けられている。各噴射ノズル１０，１０・・から洗浄液が噴射して橋梁４の下側面、すなわち橋桁５，５の側面と下面、及び橋版６の下面に付着している汚れが洗い落とされる。
【００２０】
ここで、上記支持アーム２は伸縮することが出来、その結果、該支持アーム２の先端に取着されたＬ形アーム３は橋梁４の横断面に対して左右方向に移動し、水平アーム９に取付けている噴射ノズル１０，１０・・の位置、及び噴射ノズル１０，１０・・から噴射する洗浄液が当る位置が調整される。又、Ｌ形アーム３は昇降することが出来、水平アーム９の噴射ノズル１０，１０・・の高さが調整される。
【００２１】
図１に示す車両１の荷台１１にはドラム１２が取付けられ、このドラム１２から延びるホース１３はフェンス７に沿って延びている消雪用配管４６の所々に設けている消雪用水取出し口１４に接続している。消雪用配管４６は消雪用井戸１５から導かれ、該消雪用井戸１５に溜まっている水を汲み上げて消雪用配管４６へ供給し、そして、上記消雪用水取出し口１４からホース１３へ導いている。
【００２２】
そこで、車両１が移動すると、ドラム１２は回転してホース１３は巻き戻され、巻き戻すことが出来ない所まで車両１が移動したところで、消雪用水取出し口１４から該ホース１３を取外し、次の消雪用水取出し口１４に取付ける。ホース１３へ導かれた消雪用水は水平アーム９の噴射ノズル１０，１０・・・から噴出する。橋梁４の側端に消雪用配管４６が備わっていない場合、又消雪用配管４６が備わっていても、消雪用水を取出すことが出来ない場合もある。このような橋梁４の場合には該車両１の後方にタンク車を追従して行うことが必要となる。又は、車両１にタンクを装着することもできる。
【００２３】
図２、図３は本発明に係る橋梁の洗浄装置を示す具体例であり、正面図と平面図を表している。同図に示すように水平アーム９は長く、往復して下側面の全面が洗浄出来るように、少なくとも橋梁幅の約１／２が必要であり、その為に水平アーム９は曲げ剛性を保った上で軽量化され、その為に材質はアルミ材などが用いられると共に、内部は空洞化した四角形断面で、側面には複数の穴１６，１６・・が設けられている。そして、Ｌ形アーム３の縦支柱８の適当な位置と水平アーム９の先端とがワイヤー２２にて接続され、水平アーム９の先端を支持している。
【００２４】
水平アーム９の上には配管１７が配置され、そして所々に噴射ノズル１０，１０・・・が取付けられている。噴射ノズル１０は水平アーム９の上に載置した架台１８に取付けられていて、該架台１８は水平アーム９に沿ってある範囲内で移動可能と成っている。その為に、配管１７と噴射ノズル１０とは概略コ形をした可撓ホース１９を介して接続している。噴射ノズル１０は図４に示すように複数本のノズル２０，２０・・で構成され、中央の口２１に可撓ホース１９が接続し、しかも各ノズル２０，２０・・は複数のノズル片２０ａ，２０ｂ，２０ｃを繋いだ構造とし、そのノズル片２０ａ，２０ｂ，２０ｃは向きを変えることが出来る。
【００２５】
従って、噴射ノズル１０は水平アーム９に沿ってある範囲内で移動し、しかも各ノズル２０．２０・・を構成しているノズル片２０ａ，２０ｂ，２０ｃの向きを変えることで、噴射した洗浄液が当る橋梁下側面の位置を調整することが可能と成る。同図に示す噴射ノズル１０，１０・・・は水平アーム９の４ヶ所に取付けられているが、この個数は限定しなく、しかも噴射ノズル１０を構成するノズル２０，２０・・の本数も限定しない。
【００２６】
Ｌ形アーム３は支持アーム２に取付けられると共に、昇降可能と成っている。縦支柱８にはチェーン２３が沿設され、支持アーム２の先端に縦支柱８と共に回転可能に取付けられているモータ２４にて駆動されるスプロケット２５が該チェーン２３と噛み合っていて、モータ２４にてスプロケット２５が回転するならば縦支柱８は昇降動することが出来る。
【００２７】
図５は縦支柱８の上端から観た平面図で、図２のＡ−Ａ断面拡大図を示している。支持アーム２の先端側に配置して設けた台２６には上記モータ２４が取付けられ、２個のガイドローラ２７，２７とスプロケット２５とで縦支柱８を挟み込み、該スプロケット２５が回転することで、チェーン２３と共に縦支柱８は上下動することが出来る。
【００２８】
又、Ｌ形アーム３は縦支柱８を中心として旋回することが出来る。橋梁４は川の両堤防間に掛架されるが、間には複数の橋台が設置されて橋梁４を支えている。すなわち、橋桁５，５が橋台の上に載置される。そこで、車両１が移動する場合水平アーム９は所々に設置される橋台に当って進むことが出来ない為に、Ｌ形アーム３を旋回して水平アーム９を橋梁４から外に出し、橋台を通過したところで再び旋回して水平アーム９を橋梁４の下側に配置しなくてはならない。
【００２９】
図６はＬ形アーム３を旋回させる機構を示す具体例である。支持アーム２の先端には台２８が取着され、この台２８には穴が貫通して設けられ、この穴に回転ローラ２９が嵌っている。台２８の４箇所に固定したガイド３０，３０・・にて上記回転ローラ２９が位置ズレしないように支持され、該回転ローラ２９の穴３１には角型筒３２が取着されている。
【００３０】
そして、回転ローラ２９の外周にはスプロケット３３が設けられ、このスプロケット３３にはチェーン３４が巻き掛けられている。そして、該チェーン３４はハンドル３６にて回転する別のスプロケット３５に巻き掛けられ、ハンドル３６を回転するならば、チェーン３４を介して回転ローラ２９は回転する。従って、回転ローラ２９の穴３１に取着している角型筒３２も回転し、同時に縦支柱８は回転ローラ２９と共に回転することが出来る。
【００３１】
ところで、上記角型筒３２の内面には複数のガイドローラ３７，３７・・・が取付けられ、縦支柱８はこれらガイドローラ３７，３７・・・に拘束されている。従って、ハンドル操作にて回転ローラ２９が回転するならば、縦支柱８が回転し、Ｌ形アーム３は旋回することが出来る。このように、該縦支柱８は複数のガイドローラ３７，３７・・・にて外表面が拘束されているが、上下方向への移動は許容される。
【００３２】
前記図５に示した台２６は該角型筒３２の上端に固定され、回転ローラ２９が回転するならば、台２６及び台２６に載置されているモータ２４、ガイドローラ２７，２７も回転することが出来る。すなわち、モータ２４が回転ローラ２９と共に回転することで、Ｌ形アーム３は旋回すると共に昇降動することが出来る。
【００３３】
ただし、本発明ではＬ形アーム３の旋回動、及び昇降動の具体的な機構は限定しないことにする。実施例で示したスプロケットとチェーンの組合せ機構に限ることなく、例えば油圧シリンダー又はエアシリンダーを使用して昇降動させることが出来、そして、アクチュエーターにてＬ形アーム３を旋回させることも可能である。
【００３４】
Ｌ形アーム３は車両１の荷台１１に取付けられた支持アーム２の伸縮動にて、左右方向に移動することが出来る。図７に示すように、該支持アーム２の車両側には２個のローラ３８，３８が所定の間隔をおいて取着され、これらローラ３８，３８は荷台１１に固定されているレール３９にガイドされて移動することが出来る。従って、支持アーム２はレール３９に沿って伸縮可能であり、そして支持アーム２の内部はネジ穴が形成され、該ネジ穴にナット４０が螺合している。
【００３５】
該ナット４０はハンドル４１にて回転する軸４２に取着され、該ハンドル４１を回すならば軸４２と共にナット４０が回転し、該ナット４０と螺合しているネジ穴、すなわち支持アーム２がスライドして伸縮することが出来る。勿論、支持アーム２の伸縮動作はネジ穴とナット４０の組合せに限定せず、直接油圧シリンダーやエアシリンダーを使用することも出来る。
【００３６】
そして、該支持アーム２は縦支柱８との間に補助支え４３を備えている。該補助支え４３は支柱上端に２個のローラを設け、支持アーム２は該ローラの上に載って支えられ、又支持アーム２の上面を拘束するローラも備えている。そして、両側にはターンバックル４４，４４を設けて支持アーム２と連結している。補助支え４３の下端には車輪４５が取付けられて、車両１と共に支持アーム２を支えながら橋版６の上を移動することが出来る。
【図面の簡単な説明】
【００３７】
【図１】本発明に係る橋梁の洗浄装置の外観を示す概略図。
【図２】本発明に係る洗浄装置の具体例で、正面図を表している。
【図３】本発明に係る洗浄装置の具体例で、平面図を表している。
【図４】噴射ノズルの具体例。
【図５】図２のＡ−Ａ断面拡大図。
【図６】Ｌ形アームの旋回機構。
【図７】支持アームの伸縮機構。
【符号の説明】
【００３８】
１  車両
２  支持アーム
３  Ｌ形アーム
４  橋梁
５  橋桁
６  橋版
７  フェンス
８  縦支柱
９  水平アーム
10  噴射ノズル
11  荷台
12  ドラム
13  ホース
14  消雪用水取出し口
15  消雪用井戸
16  穴
17  配管
18  架台
19  可撓ホース
20  ノズル
21  口
22  ワイヤー
23  チェーン
24  モータ
25  スプロケット
26  台
27  ガイドローラ
28  台
29  回転ローラ
30  ガイド
31  穴
32  角型筒
33  スプロケット
34  チェーン
35  スプロケット
36  ハンドル
37  ガイドローラ
38  ローラ
39  レール
40  ナット
41  ハンドル
42  軸
43  補助支え
44  ターンバックル
45  車輪
46  消雪用配管
【図２】
2010090609.tif 000003
【図３】
2010090609.tif 000004
【図４】
2010090609.tif 000005
【図５】
2010090609.tif 000006
【図６】
2010090609.tif 000007
【図７】
2010090609.tif 000008
【図１】
2010090609.tif 000009